(57)【特許請求の範囲】
【請求項１】
カップ本体と底部に円形帯状の脚部を設けたメインカップと、該メインカップの前記脚部の内側に嵌入される上端にフランジ部を設けたサブカップとからなる複合容器において、前記脚部の一部に、前記サブカップを嵌入する前は、円形の外方に膨らんだ形状で、前記サブカップを嵌入した後は、内方に弾性反転して前記サブカップの前記フランジを下方から保持する一対の保持部を設け、該保持部が前記脚部の対向する位置に設けられ、該保持部の両端にはそれぞれ薄肉ラインが外側又は内側から刻設され、さらに前記保持部には、より大きく弾性反転する保持部中央部分が形成され、前記保持部中央部分の両端にはそれぞれ薄肉ラインが外側又は内側から刻設されていることを特徴とする複合容器。
【請求項２】
前記保持部の外側中央部に保持部摘まみを突起状に設けたことを特徴とする請求項１に記載の複合容器。
【発明の詳細な説明】
【技術分野】
【０００１】
本発明は、プラスチック製のメインカップの底部に別のサブカップ等を装着し保持することが可能なメインカップとサブカップとからなる複合容器に関するものである。
【背景技術】
【０００２】
従来より、プラスチック製のカップ状の容器は、底部が平面状であるか、あるいは脚部を備えた形状が一般的である。主食品と副食品とからなる各種のデザート、アイスクリーム、コーヒーゼリー類の嗜好品等用の容器では、始めから副食品であるシロップ、カラメル、ソース類を主食品と共に容器内に収納したもの、あるいは、副食品を別の容器に入れて別体として販売されている。しかし、前者の副食品を始めから主食品と共に容器内に収納したものは主食品と副食品が混ざりやすく味が変わってしまうという問題がある。また、後者の副食品を別体としたものは、別体のため何らかの方法、例えば、テープ、シュリンクフイルム等で主食品を収納した容器に固定しなくてはならず、このための手間とそれに必要な材料が必要となり経済的な点で問題がある。これらの問題を解消するために、一部のカップ状の容器においては、主食品を収納したメインカップ（カップ本体）の底部に、シロップ、カラメル、ソース類の副食品を収納した別のサブカップ（小容器）を保持できる形態としたものも種々提案されている（例えば、特許文献１参照。）。
【特許文献１】実開昭５８−２４７６８号公報
【０００３】
しかしながら、上記の形態では、カップ状の容器の底部の形状が複雑になり、製造上難しくなるという問題がある。また、メインカップ（カップ本体）の底部にサブカップ（小容器）を装着しやすいが、脱着がしにくい形状であったりして、メインカップの底部にサブカップを装着しやすく、かつ、脱着しやすいという形状とはなっていないという問題がある。
【発明の開示】
【発明が解決しようとする課題】
【０００４】
本発明は、プラスチック製のメインカップの底部に別のサブカップ等を装着し保持することが可能な形状であり、装着が簡単で、かつ、脱着が簡単であるメインカップとサブカップとからなる複合容器を提供することを目的とするものである。
【課題を解決するための手段】
【０００５】
このような課題を解消した本発明は、カップ本体と底部に円形帯状の脚部を設けたメインカップと、該メインカップの前記脚部の内側に嵌入される上端にフランジ部を設けたサブカップとからなる複合容器において、前記脚部の一部に、前記サブカップを嵌入する前は、円形の外方に膨らんだ形状で、前記サブカップを嵌入した後は、内方に弾性反転して前記サブカップの前記フランジを下方から保持する一対の保持部を設け、該保持部が前記脚部の対向する位置に設けられ、該保持部の両端にはそれぞれ薄肉ラインが外側又は内側から刻設され、さらに前記保持部には、より大きく弾性反転する保持部中央部分が形成され、前記保持部中央部分の両端にはそれぞれ薄肉ラインが外側又は内側から刻設されていることを特徴とする複合容器である。さらにまた、前記保持部の外側中央部に保持部摘まみを突起状に設けた形状とすることができるものである。
【発明の効果】
【０００６】
本発明の複合容器は、主食品を収納したメインカップの脚部の内側に、別体で副食品等を収納したサブカップを装着し脚部に設けた保持部を内方に弾性反転させることにより脱着を防いだ状態にすることができ、メインカップとサブカップとを一体として販売することができるという効果を有している。また、消費者が使用する時には、内方に弾性反転した保持部を外方に戻すことによりメインカップからサブカップを簡単に取り外すことができ、サブカップに収納した副食品を、メインカップに収納した主食品とを混ぜ合わせて食することができる。安全で扱い易く、材料の節約や余分な手間が省いて経済的であるという効果を有している。保持部Ｈの外側中央部に保持部摘まみを設けることにより、この保持部摘まみを摘まんで保持部を簡単に内方に弾性反転させることができ、かつ、弾性反転してサブカップを保持している保持部を容易に元に戻すことができる。さらに、脚部に設ける保持部の形状において、中央部を両端を薄肉ラインで区分けした保持部中央部分とすることにより、弾性反転してサブカップ本体の保持を複数の点または面で行うことができ、より効果的にサブカップを保持することができるという効果を有している。
【発明を実施するための最良の形態】
【０００７】
以下、本発明の複合容器の実施形態を図面を参照して説明する。
【０００８】
図１は、本発明に係る複合容器の参考例を示す斜視図であり、複合容器Ａは、メインカップ１の脚部３の内側にサブカップ１０が嵌入され保持された構造となっている。メインカップ１は、カップ本体２と脚部３とからなり、蓋部４でカップ本体２の開口部を密封シールしている。本発明の複合容器１では、メインカップ１の底部に形成された脚部３の内側に副食品を収納したサブカップフランジ部１１を備えたサブカップ１０を嵌入することができ、かつ、嵌入したサブカップ１０が脱落しないように保持するために、脚部３の一部に内方に弾性反転してサブカップ１０を保持する保持部Ｈ、Ｈを設けた形状としている。
【０００９】
図２は、メインカップ１の脚部３の保持部Ｈの部分拡大斜視図である。図２−ａに示すように、脚部３が所定の幅を持って円形帯状に形成され、その円形の脚部３より膨らんだ形状の保持部Ｈ、Ｈを対向する位置の二ヶ所に設けている。この保持部Ｈは脚部３の内側にサブカップ１０を嵌入する前の状態では、外方に膨らんだ状態であり、サブカップ１０を嵌入した後に内方に弾性反転することにより、嵌入したサブカップ１０を保持することができる。具体的には、図２−ｂに示すように、サブカップフランジ部１１を備えたサブカップ１０を嵌入した後、保持部Ｈを内方に弾性反転させることによって、脚部３の内側に嵌入したサブカップ１０のサブカップフランジ部１１の下部を保持することになり、サブカップ１０が脱着することを防ぐことができる。この保持部Ｈは脚部３の二ヶ所以上に設けることができるが、脱着を防ぐ効果と装着、脱着の手間を勘案すると二ヶ所に設けることが好ましい。
【００１０】
本発明に係る複合容器Ａのメインカップ１は、通常の射出成形法によって製造することができる。使用する樹脂としては、中密度ポリエチレン、高密度ポリエチレン、ポリプロピレン、ポリエチレンテレフタレート、ポリカーボネート、アクリロニトリルコポリマー、ハイインパクトポリスチレン等の射出成形グレードを使用することができるが、ＧＰポリスチレンのように折り曲げによって割れが生じるものは危険性を伴うので使用を避けた方がよい。また、上記の熱可塑性樹と、エチレンビニルアルコール、塩化ビニリデン、ナイロン等のガスバリアー性を有した樹脂との２層体あるいは３層体とすることもできる。
【００１１】
カップ本体２と脚部３とは射出成形法により一体として形成することができ、脚部３には、対向する二ヶ所の位置に所定の長さで外側に膨らんだ形状で、内方に反転することが可能な保持部Ｈ、Ｈを設けている。保持部Ｈの両端には、脚部３と折り曲げることができるように外側から溝を入れた形状の薄肉ラインｈ１、ｈ２を設けている。薄肉ラインｈ１、ｈ２は凹陥溝によって形成されているが、断面形状はＶ字形状、Ｕ字形状等とし、最も薄くなる部分の厚みとしては、０．０５〜０．３０ｍｍの範囲であることが好ましい。
【００１２】
また、この保持部Ｈには、図３に示すように、中央部分を保持部中央部分Ｈｃとし、この部分をより大きく内方に弾性反転させるような形状とすることができる。この場合、４本の薄肉ラインｈ１、ｈ２、ｈ３、ｈ４を設けており、保持部Ｈの両端には、脚部３と折り曲げることができるように外側から溝を入れた形状の薄肉ラインｈ１、ｈ２を設け、また、保持部Ｈの保持部中央部分Ｈｃが内方に弾性反転してサブカップ１０を保持できるように保持部中央部分Ｈｃの両端には、内側から溝を入れた形状の薄肉ラインｈ３、ｈ４を設けている。また、図４に示すように、この保持部中央部分Ｈｃをサブカップ１０のサブカップ本体１２の曲面とほぼ同じ曲面とすることより、より効果的にサブカップ１０を保持することができる。さらに、保持部Ｈの外側中央部に保持部摘まみＨｔを設けることが好ましい。この保持部摘まみＨｔを摘まむことにより、保持部Ｈを簡単に内方に弾性反転させることができ、かつ、弾性反転してサブカップ１０を保持している保持部Ｈを容易に元に戻すことができる。なお、薄肉ラインｈ１、ｈ２を内側から溝を入れた形状で設け、薄肉ラインｈ３、ｈ４を外側から溝を入れた形状で設けてもよい。
【００１３】
このメインカップ１の脚部３の内側にサブカップ１０が嵌入されるが、このサブカップ１０の形状は、図５−ａに示すように、カップ状であり、開口部には外側に広がるサブカップフランジ部１１を備えている。サブカップ本体１２は必ずしもテーパー状でなくてもよく、例えば、図５−ｂに示すように、円筒状であってもよい。また、図５−ｃに示すように、サブカップ１０にもサブカップ脚部１３を設けることができ、メインカップ１にサブカップ１０を嵌入した状態で置いた際にも安定性が高くなり倒れにくくなる。
【００１４】
このサブカップ１０は、サブカップフランジ部１１を備えていればよく、メインカップ１と同様に射出成形法で製造する以外に、プラスチックシートを使用して真空成形により製造することもできる。また、プラスチックチック製のカップではなく、フランジ部のある紙カップとすることもできる。
【００１５】
実際に、本発明の複合容器Ａでは、メインカップ１に、嗜好品や食品類、例えば、アイスクリームを充填し蓋部４で密封する。サブカップ１０には、例えば、アイスクリームのトッピング材料を収納し、そのサブカップフランジ部１１をサブカップ蓋部１４で密封した状態でメインカップ１の脚部３の内側に嵌入する。サブカップ１０には、内容物をそのまま収納してサブカップ蓋部１４で密封してもよいし、袋やプラスチック成形品などで予め密封した容器を収納してもよい。
【００１６】
このように本発明の複合容器１では、メインカップ１の脚部３の内側にサブカップ１０がサブカップフランジ部１１から嵌入され、サブカップフランジ部１１がカップ本体２の底面５に到達した状態となり、図２−ｂに示すように、その状態で脚部３の保持部Ｈ、Ｈを内方に弾性反転することにより嵌入したサブカップ１０のサブカップフランジ部１１を下方から保持することができ、メインカップ１の脚部３の内側からサブカップ１０が脱着することを防ぐことができる。
【００１７】
実際に消費者が使用する際には、メインカップ１の脚部３に嵌入されたサブカップ１０を脱着するが、まず、脚部３の内方に弾性反転してサブカップ１０を保持している保持部Ｈ、Ｈを外すが、この動作は簡単で、容易に外側に膨らんだ状態に戻すことができる。この時、保持部Ｈの中央外側に保持部摘まみＨｔを設けることにより、より容易に元に戻すことができる。従って、簡単にサブカップ１０を取り出すことができる。ついで、メインカップ１の蓋部４およびサブカップ１０のサブカップ蓋部１３を剥がしてメインカップ１に収納された主食品とサブカップ１０に収納された副食品とを混ぜ合わせて食することができる。また、必要に応じては、メインカップ１に収納した主食品である内容物を別の食器に移し、さらに、メインカップ１の脚部３から脱着したサブカップ１０のサブカップ蓋部１４を剥がして副食品と主食品とを混ぜ合わせて食べることができる。
【００１８】
なお、上記ではメインカップ１に主食品を収納し、サブカップ１０に副食品を収納する組み合わせとしているが、逆に、サブカップ１０に主食品を収納し、メインカップ１に副食品を収納する組み合わせとすることもできる。
【実施例】
【００１９】
以下本発明の参考例を図面について説明する。
【００２０】
（参考例１）
まず、ポリプロピレン樹脂を使用して、射出成形法により、開口部の直径１２０ｍｍ、高さ４０ｍｍの図１に示すようなメインカップ１を製造した。このメインカップ１のカップ本体２の底部には直径９０ｍｍの円形帯状の高さが５ｍｍ、厚みが０．６ｍｍの脚部３を形成した。この脚部３には対向する二ヶ所の位置に長さ６０ｍｍの保持部Ｈ、Ｈを直径９０ｍｍの円形帯状の脚部３から膨らんだ形状で設けた。一方、同じくポリプロピレン樹脂を使用して、射出成形法により、開口部の直径８０ｍｍ、高さ３０ｍｍの図１に示すような幅７ｍｍのサブカップフランジ部１１を有するサブカップ１０を製造した。
【００２１】
使用に当たってはメインカップ１のカップ本体２内に主食品としてヨーグルトを充填し、蓋部４をフランジ部で熱シールした。一方、サブカップ１０内に副食品として果肉ジャムを入れてサブカップ蓋部１４をサブカップフランジ部１１で密着シール後、メインカップ１の脚部３の内側にサブカップ１０をサブカップフランジ部１１から嵌入した。嵌入後、メインカップ１の脚部３に設けた保持部Ｈ、Ｈを内方に弾性反転してサブカップ１０のサブカップフランジ部１１を下方から保持してメインカップ１とサブカップ１０とを一体とし複合容器Ａとした。
【００２２】
実際に、内容物を消費する時に、内方に弾性反転した保持部Ｈ、Ｈを外方に戻すことによりメインカップ１からサブカップ１０を簡単に取り外すことができた。そして、サブカップ１０に収納した副食品の果肉ジャムを、メインカップ１に収納した主食品のヨーグルトと混ぜ合わせて食することができた。
【００２３】
（参考例２）
まず、ポリプロピレン樹脂を使用して、射出成形法により、開口部の直径９５ｍｍ、高さ４５ｍｍの図６に示すようなメインカップ１を製造した。このメインカップ１のカップ本体２の底部には直径７２ｍｍの円形帯状の高さが５ｍｍの脚部３を形成した。この脚部３には対向する二ヶ所の位置に長さ５０ｍｍの保持部Ｈ、Ｈを直径７２ｍｍの円形帯状の脚部３から膨らんだ形状で設けた。一方、同じくポリプロピレン樹脂を使用して、射出成形法により、開口部の直径６０ｍｍ、高さ１１０ｍｍの図６に示すような幅５ｍｍのサブカップフランジ部１１を有するサブカップ１０を製造した。
【００２４】
使用に当たってはサブカップ１０内に主食品としてコーヒー飲料を充填し、サブカップ蓋部１４をサブカップフランジ部１１で熱シールした。一方、メインカップ１内に副食品としてスナックを入れて蓋部４をフランジ部で密着シール後、メインカップ１の脚部３の内側にサブカップ１０をサブカップフランジ部１１側から嵌入した。嵌入後、メインカップ１の脚部３に設けた保持部Ｈ、Ｈを内方に弾性反転してサブカップ１０のサブカップフランジ部１１を下方から保持してメインカップ１とサブカップ１０とを一体とし複合容器Ｂとした。
【００２５】
実際に、内容物を消費する時に、保持部Ｈの外側中央部に設けた保持部摘まみＨｔを摘まんで引っ張ることにより、内方に弾性反転した保持部Ｈを外方に簡単に戻すことができ、メインカップ１からサブカップ１０を簡単に取り外すことができた。そして、サブカップ１０に収納した主食品のコーヒー飲料を飲みながらメインカップ１に収納した副食品のスナックを食することができた。
【産業上の利用可能性】
【００２６】
本発明は食品、菓子、冷菓等の主食品と副食品からなる内容物を収納する容器に応用することができるものであり、さらに、化学製品、薬品類等の二つの内容物を分けて収納し、使用時に混合する等して一緒に使用する用途に広く利用することができる。
【図面の簡単な説明】
【００２７】
【図１】本発明の複合容器の参考例を示す斜視図である。
【図２】本発明の複合容器のメインカップの脚部を示す部分拡大斜視図およびメインカップにサブカップを嵌入した状態の部分拡大断面図である。
【図３】本発明の複合容器のメインカップの脚部を示す部分拡大斜視図である。
【図４】本発明の複合容器のメインカップの下方からの平面図である。
【図５】本発明の複合容器のサブカップの例を示す概略斜視図である。
【図６】本発明の複合容器の別の例を示す斜視図である。
【符号の説明】
【００２８】
Ａ      複合容器
Ｂ      複合容器
１      メインカップ
２      カップ本体
３      脚部
４      蓋部
１０      サブカップ
１１      サブカップフランジ部
１２      サブカップ本体
１３      サブカップ脚部
１４      サブカップ蓋部
Ｈ      保持部
Ｈｃ    保持部中央部分
Ｈｔ    保持部摘まみ
ｈ１〜ｈ４  薄肉ライン
【図１】
0004736615.tif 000002
【図２】
0004736615.tif 000003
【図３】
0004736615.tif 000004
【図４】
0004736615.tif 000005
【図５】
0004736615.tif 000006
【図６】
0004736615.tif 000007